(57)【要約】 【課題】 操作釦部と弾性変形可能な薄肉部で構成された押し釦装置に関するもので、前記操作釦部を操作することで、取り付け位置が後方へ移動してしまうことによる品格の低下を防止する具体構成を提供する。 【解決手段】 釦後退防止用部１２の先端突起部１４に係り代を設け、釦後退防止用部１２に弾性変形させたまま係合部１３に引っ掛け固定することにより、操作釦部３の取り付け位置が後方へ移動することを防ぐことができる。【選択図】 図１
2007128740.tif 000002
【特許請求の範囲】
【請求項１】
操作するための操作釦部を持つ操作部と、前記操作釦部が操作されたときの後退を防ぐ釦後退防止用部と、その先端に設けた先端突起部とから成る固定部と、前記操作部と前記固定部を薄肉部により連結した釦部と、前記操作釦部を貫通するための操作釦用透孔部と、前記先端突起部を固定するための係合部とから成るパネル部とから構成された押し釦装置において、前記固定部を前記パネル方向に弾性変形させる様に前記先端突起部を前記係合部に係合することを特徴とする押し釦装置。
【請求項２】
前記パネルの係合部は、透孔であることを特徴とする請求項１記載の押し釦装置。
【請求項３】
前記パネルの係合部は、凹形状であることを特徴とする請求項１記載の押し釦装置。
【請求項４】
前記パネルの係合部は、凸形状であることを特徴とする請求項１記載の押し釦装置。
【発明の詳細な説明】
【技術分野】
【０００１】
本発明は、電子機器などに使用される押し釦装置に関するものであり、より詳細には、押し釦装置の品格の低下を防止する技術に関する。  
【背景技術】
【０００２】
従来の複数の押し釦が並んで配置されたこの種の押し釦装置を、図４に示す。図４において、１は板状のストッパー部であり、それらの一端は、所定の間隔を持って互いに並行するように複数個固定桟部２に一体的に連結されており、その遊端である先端部にはそれぞれ操作釦部３が一体的に形成されている。
【０００３】
さらに、前記各ストッパー部１の中間部よりそれぞれの直角方向に突出するようにスイッチ押圧部４が形成され、前記ストッパー部１の前記固定桟部２との連結部の近傍には、それぞれヒンジとなる薄肉部５が設けられており、これら前記ストッパー部１、前記固定桟部２、前記操作釦部３、前記スイッチ押圧部４および前記薄肉部５は、合成樹脂材により一体的に形成されている。
【０００４】
そして、電子機器などへの組み込みの際には、前記操作釦部３が機器筐体の前面パネル６に形成された操作釦用１３より突出し、かつ、前記ストッパー部１の先端が、前記操作釦用１３の近傍で前面パネル６の裏側に形成された突出部１１に、前記薄肉部５の弾性変形にともなう弾性付勢力により当接されるように、前記固定桟部２に設けられたボス９の透孔１０を、前記前面パネル６の裏側に形成された係合突起８に圧入して前記前面パネル６に固定する。
【０００５】
この場合、係合突起８への圧入が少しでも外れると、前記薄肉部５の弾性付勢力により釦は抜け落ちてしまう。
【０００６】
特開２００５−１９１０２９号に係る「操作ボタン及び操作ボタンを備えた電気機器」では、電子機器の筐体に取り付けられる操作釦装置の抜け落ちを防止するために、前記固定桟部２から後方に延びる釦後退防止用部１２を有し、前記前面パネル６の下部に形成された係合部１３に前記釦後退防止用部１２の先端突起部１４を落とし込むことにより、前記先端突起部１４をストッパーとしている。
【特許文献１】特開２００５−１９１０２９号公報
【発明の開示】
【発明が解決しようとする課題】
【０００７】
しかしながら、前記従来の構成では、前記釦後退防止用部１２の前記先端突起部１４が、前記前面パネル６の下部に形成された前記係合部１３に落ち込むためには、どうしても、前記先端突起部１４と前記係合部１３との間にスキマ１５が必要であるため、その前記スキマ１５の分だけ釦が後方に移動してしまい、図５のように、前記操作釦部３が前記前面パネル６に形成された前記操作釦用１３との位置関係が下側にずれ、隙間Ｂより隙間Ｂ”が小さくなるため品格を落としてしまうという課題を有していた。
【０００８】
本発明は、前記従来の課題を解決するもので、簡単な構成で品格の低下を防止できる押し釦装置を提供することを目的とする。
【課題を解決するための手段】
【０００９】
前記従来の課題を解決するために、本発明の請求項１に掛る押し釦装置は、操作するための操作釦部を持つ操作部と、前記操作釦部が操作されたときの後退を防ぐ釦後退防止用部と、その先端に設けた先端突起部とから成る固定部と、前記操作部と前記固定部を薄肉部により連結した釦部と、前記操作釦部を貫通するための操作釦用透孔部と、前記先端突起部を固定するための係合部とから成るパネル部とから構成された押し釦装置において、前記固定部を前記パネル方向に弾性変形させる様に前記先端突起部を前記係合部に係合することを特徴とするものである。
【００１０】
また、本発明の請求項２に掛る押し釦装置は、前記パネルの係合部は、透孔であることを特徴とするものである。
【００１１】
また、本発明の請求項３に掛る押し釦装置は、前記パネルの係合部は、凹形状であることを特徴とするものである。
【００１２】
また、本発明の請求項４に掛る押し釦装置は、前記パネルの係合部は、凸形状であることを特徴とするものである。
【発明の効果】
【００１３】
本発明の押し釦装置によれば、簡単な構成で釦の品格の低下を防止することができる。
【発明を実施するための最良の形態】
【００１４】
以下に、本発明の押し釦装置の実施の形態を図面とともに詳細に説明する。
【実施例１】
【００１５】
図１に、本発明にかかる押し釦装置の一例として押し釦装置の構成を説明する。釦部は、操作部と、固定部とから構成されており、操作部は、ストッパー部１、操作釦部３、スイッチ押圧部４から構成され、固定部は、固定桟部２、ボス９、透孔１０、釦後退防止用部１２、先端突起部１４から構成され、操作部と、固定部は薄肉部５、により接続されている。素材は、ＡＢＳ（Ａｃｒｙｌｏｎｉｔｒｉｌｅ  Ｂｕｔａｄｉｅｎｅ  Ｓｔｙｒｅｎｅ）、を使用している。
【００１６】
前面パネル６は、操作釦用１３、係合突起８、突出部１１、係合部１３により構成されている。素材はＰＳ（Ｐｏｌｙｓｔｙｒｅｎｅ）を使用している。
【００１７】
釦部と前面パネル６は、ボス９、透孔１０を、前面パネル６の係合突起８に圧入することで固定している。
【００１８】
隙間Ａと隙間Ａ”は、操作釦部３と前面パネル６の隙間であり、隙間Ａと隙間Ａ”それぞれの距離は等しい状態になっている。
【００１９】
操作釦部３の操作釦用１３に対する出代や位置関係を均一とするため、ストッパー部１の傾きを４度にし、薄肉部５の厚みを０．７ｍｍにして弾性変形をさせたまま突起１１で止めている。このとき、薄肉部５に常時かかっている弾性力により、元に戻ろうとする力が常に係合突起８と透孔１０との圧入が外れる方向に働いているため、少しでもこの圧入が緩んでしまうと、たちまち圧入部が外れ、操作釦部３と操作釦用１３との位置関係が崩れる。つまり隙間Ａと隙間Ａ”が等しくなくなるため、結果として品格を失うこととなる。
【００２０】
そこで、係合突起８と透孔１０のずれを防止するために、単に抜け止めとして係合部１３の中に落とし込んでいた先端突起部１４に、完全に落ち込まないように、且つ、釦後退防止用部１２に弾性力の方向１６になるような弾性変形を持たせ、係合部１３の一端に引っ掛けるようにする。
【００２１】
具体的には、釦後退防止用部１２の先端突起部１４の係り代を１ｍｍとし、釦後退防止用部１２に弾性変形を持たせたまま、係合部１３の一端に意図的に引っ掛ける構成とする。つまり、単に抜け止めとして係合部１３の中に落とし込んでいた先端突起部１４を、完全に落ち込まないように突出部を設けて、係合部１３の一端に引っ掛かるようにする。
【００２２】
このように、先端突起部１４を係合部１３の一端に引っ掛けることにより、固定桟部２を前面パネル６に押し付け、突起８と透孔１０との圧入が外れるのを防止でき、操作釦部３と操作釦用１３との位置関係の崩れによる品格の低下を防止することができる。
【００２３】
また、上記構成以外にも、固定桟部２を前面パネル６に押し付け、突起８と透孔１０との圧入が外れるのを防止する方法としては、係合部１３は貫通している必要はなく、図２のように溝１７のような形状としたものや、図３のリブ１８のように凸状の形態にして先端突起部１４を引っ掛ける構成でも同じ効果が得られる。
【００２４】
なお、上記の数値及び素材は、あくまでも本実施例での一例に過ぎず、実際は様々な大きさ、形状の釦に合わせ、その都度、適当な数値の設定や素材を選択すればよい。  
【産業上の利用可能性】
【００２５】
本発明にかかる押し釦装置は、簡単な構成で品格の低下を防止できるため、薄肉部の弾性力を利用した押し釦を有する全ての装置に有用である。
【図面の簡単な説明】
【００２６】
【図１】本発明の実施例１における押し釦装置の断面図
【図２】本発明の実施例１における押し釦装置の細部断面図
【図３】本発明の実施例１における押し釦装置の細部断面図
【図４】従来の押し釦装置の断面図
【図５】従来の押し釦装置の課題となる断面図
【符号の説明】
【００２７】
１  ストッパー部
２  固定桟部
３  操作釦部
４  スイッチ押圧部
５  薄肉部
６  前面パネル
７  操作釦用透孔
８  係合突起
９  ボス
１０  透孔
１１  突出部
１２  釦後退防止用部
１３  係合部
１４  先端突起部
１５  スキマ
１６  弾性力の方向
１７  溝
１８  リブ
【図１】
2007128740.tif 000003
【図２】
2007128740.tif 000004
【図３】
2007128740.tif 000005
【図４】
2007128740.tif 000006
【図５】
2007128740.tif 000007